(57)【要約】【課題】通常使用時に不必要な突起部分を凸設させることなく、従って携帯用機器の携帯性を損ねることなく、それでいてコードを巻き付ける時には先端からほどけないように確実に保持することができるようにする。【解決手段】筐体ａの外周面を延長するようにしてコード保持部２が設けられ、その下にコードをくぐらせることができるように凹部１１が設けられている。また、機器本体１に巻き付けられたコードの一方がコード引き出し部２に、もう一方がコード保持部１２によりそれぞれずれていかないように押さえられる構成であると共に、凹部１１は、コード引き出し部２からの引き出し方向に垂直な方向にコードが通過できるように形成されている。【選択図】図１
2007252047.tif 000002
【特許請求の範囲】
【請求項１】
機器本体に、
コードを保持するコード保持部材と、
前記コード保持部材および当該コード保持部材によって押さえられるコードを納める凹部と、が設けられたことを特徴とする携帯用機器のコード保持構造。
【請求項２】
前記コードは、前記機器本体内部から引き出されて該引き出し口が挿抜不能に固定され、
前記コード保持部材は、前記機器本体における、前記引き出し口から引き出し方向に垂直な方向に最も遠い面の近傍に配設されたことを特徴とする請求項１記載の携帯用機器のコード保持構造。
【請求項３】
前記コードは、前記機器本体内部から引き出されて該引き出し口が挿抜不能に固定され、
前記コード保持部材は、前記機器本体における、前記引き出し口から引き出し方向に垂直な方向に最も遠い面における、引き出し口からの引き出し方向と逆方向の頂点近傍に配設されたことを特徴とする請求項１記載の携帯用機器のコード保持構造。
【請求項４】
前記凹部は、前記引き出し口からの引き出し方向に垂直な方向に、コードが前記コード保持部材に押さえられて当該凹部内を通過できるように形成されたことを特徴とする請求項２または３記載の携帯用機器のコード保持構造。
【請求項５】
前記凹部におけるコード通過方向の両端と前記コード保持部材との間隔はコード径より大きく、
コード通過方向と垂直な方向における前記コード保持部材先端から前記凹部内壁の間隔はコード径より小さいことを特徴とする請求項１から４の何れか１項に記載の携帯用機器のコード保持構造。
【請求項６】
前記コード保持部材は、コードを前記凹部内に挿抜可能なだけの弾性を少なくとも有することを特徴とする請求項１から５の何れか１項に記載の携帯用機器のコード保持構造。
【発明の詳細な説明】
【技術分野】
【０００１】
本発明は、機器本体からコード（cord）が引き出されている携帯用機器のコード保持構造に関する。
【背景技術】
【０００２】
一般に、携帯電話充電用のＡＣアダプタなどの携帯用機器では、機器本体から引き出されたコードをコンパクトにまとめた方が、携帯性という視点から好ましい。
このコードは、購入時には結束バンド等により一まとめにされているが、使用開始後にはその都度結束バンドで巻くのも面倒であり、機器本体にコードを巻き付けて携帯している場面がしばしば見られる。
【０００３】
ここで、従来のＡＣアダプタとして、上下両面の周縁を鍔状部として側面より突出させ、出力コードを巻き付けても逸脱しないようにし、先端の出力プラグを挿入保持可能としたものがある（例えば、特許文献１参照）。
【０００４】
また、電子部品が搭載される回路基板のコネクタのケーブルからの放射ノイズを抑制する構造において、コネクタの外周面にケーブル矯正用の突起部材を設け、ケーブルの引き出しのループを小さく、且つ高さを低くするようにしたものがある（例えば、特許文献２参照）。
【特許文献１】特開２００１−９５２６０号公報
【特許文献２】特開２００４−２３５３９８号公報
【発明の開示】
【発明が解決しようとする課題】
【０００５】
しかしながら、上述した特許文献１のものは、コードを巻き取るために、通常使用時には不必要な鍔状部として機器筐体から突出させる必要があり、その分、携帯性や使用時の利便性を損ねてしまっていた。
【０００６】
また、上述した特許文献２のものは、回路基板のコネクタからの多数のケーブルを束ねるために、通常使用時には不必要なケーブル矯正用の突起部材を機器筐体に凸設する必要があり、その分、携帯性や使用時の利便性を損ねてしまっていた。
【０００７】
本発明はこのような状況に鑑みてなされたものであり、通常使用時に不必要な突起部分を凸設させることなく、従って携帯用機器の携帯性を損ねることなく、それでいてコードを巻き付ける時には先端からほどけないように確実に保持することができる携帯用機器のコード保持構造を提供することを目的とする。
【課題を解決するための手段】
【０００８】
かかる目的を達成するために、本発明に係る携帯用機器のコード保持構造は、機器本体に、コードを保持するコード保持部材と、上記コード保持部材および当該コード保持部材によって押さえられるコードを納める凹部と、が設けられたことを特徴とする。
【０００９】
上記コードは、上記機器本体内部から引き出されて該引き出し口が挿抜不能に固定され、上記コード保持部材は、上記機器本体における、上記引き出し口から引き出し方向に垂直な方向に最も遠い面の近傍に配設されることが好ましい。
【００１０】
上記コードは、上記機器本体内部から引き出されて該引き出し口が挿抜不能に固定され、上記コード保持部材は、上記機器本体における、上記引き出し口から引き出し方向に垂直な方向に最も遠い面における、引き出し口からの引き出し方向と逆方向の頂点近傍に配設されたことであってもよい。
【００１１】
上記凹部は、上記引き出し口からの引き出し方向に垂直な方向に、コードが上記コード保持部材に押さえられて当該凹部内を通過できるように形成されることが好ましい。
【００１２】
上記凹部におけるコード通過方向の両端と上記コード保持部材との間隔はコード径より大きく、コード通過方向と垂直な方向における上記コード保持部材先端から上記凹部内壁の間隔はコード径より小さいことが好ましい。
【００１３】
上記コード保持部材は、コードを上記凹部内に挿抜可能なだけの弾性を少なくとも有することが好ましい。
【発明の効果】
【００１４】
以上のように、本発明によれば、通常使用時に不必要な突起部分を凸設させることなく、従って携帯用機器の携帯性を損ねることなく、それでいてコードを巻き付ける時には先端からほどけないように確実に保持することができる。
【発明を実施するための最良の形態】
【００１５】
次に、本発明に係る携帯用機器のコード保持構造を、携帯電話のＡＣアダプタに適用した一実施形態について、図面を用いて詳細に説明する。
まず、本実施形態の概略について説明する。
【００１６】
一般に、携帯電話には充電用のＡＣアダプタが添付されているが、携帯時にコードの処理が煩雑になる点があった。
この点を考慮し、本実施形態に係るＡＣアダプタは、携帯時にコードをＡＣアダプタ筐体に巻いて持ち運ぶ場合であっても、コードを結束バンド等で纏めた場合であっても、携帯電話に接続するソケット部分がＡＣアダプタ本体の一部に形成された保持構造により保持可能であり、携帯時の利便性を向上させることができるものである。
【００１７】
次に、本実施形態に係るＡＣアダプタの構成について説明する。
図１を参照すると、本発明の一実施例としてのＡＣアダプタの携帯時のコード処理保持構造が示されている。
また、図２の矢視図Ａ−Ａにより、ＡＣアダプタのコード保持部形状と、ＡＣアダプタの筐体ａおよび筐体ｂの組立て前のコード保持部形状とが示されている。
【００１８】
図１、図２に示されるように、本実施形態に係るＡＣアダプタは、機器本体１から、先端にソケットを備えたコードが引き出されて構成されている。
このコードは、コード引き出し部２により機器本体１に対して挿抜不能に固定され、先端のソケットにより携帯電話に接続可能となっている。
【００１９】
機器本体１は、電子部品などの内部構成が筐体ａおよび筐体ｂにより被装されて構成され、コンセントへの接続部分等の各種凹凸部分を除けば全体として略直方体で、各頂点近傍が丸みを帯びた形状となっている。
【００２０】
また、機器本体１には、上述のようにコード引き出し部２が設けられると共に、そのコードの引き出し方向に垂直な方向についてそのコード引き出し部２から最も遠い面における、引き出し方向と逆方向に最も遠い２つの頂点近傍にコード保持部１２が配設されている。
【００２１】
さらに、そのコード保持部１２が収納される凹部１１は、コード引き出し部２からの引き出し方向に垂直な方向に、コードがコード保持部１２に押さえられて凹部１１内を通過できるように形成されている。
【００２２】
以上のように、本実施形態に係るＡＣアダプタでは、上述したコード引き出し部２と、コード保持部１２とが、上述した略直方体形状の機器本体１における対角線の両端付近に配設されることにより、コード引き出し部２から引き出されたコードを機器本体１に巻き付けてコード保持部１２でコードを保持した時、機器本体１に巻き付けられたコードの一方がコード引き出し部２に、もう一方がコード保持部１２によりそれぞれずれていかないように押さえられることとなる。
さらに、凹部１１は、コード引き出し部２からの引き出し方向に垂直な方向にコードが通過できるように形成されているため、本実施形態に係るＡＣアダプタでは、機器本体１に巻き付けられたコードがずれていかないようにより確実に押さえることができる。
このことにより、巻き取られたコードのずれ防止のために鍔状部などを側面から突出させるといった、通常使用時に不必要な突起部分を凸設させることなく、従って携帯用機器の携帯性を損ねることなく、巻き付けられたコードを確実に保持することができる。
【００２３】
次に、コード保持部１２周りの詳細な構成について説明する。
コード保持部１２は、図２、図３に示すように、筐体ｂに形成された凹部１１内に収まるように形成されている。
すなわち、図３の断面Ｂ−Ｂに、コード保持部の断面形状が示されている。この図３に示されるように、ＡＣアダプタ筐体外形部寸法を増加すること無しに筐体ａにあらかじめコード保持部１２を、筐体ｂに凹部１１を、それぞれ形成しておき、これらを組み立てた際に凹部１１とコード保持部１２との間でコードを保持することができる構造となっている。
換言すれば、機器本体１における凹部１１内の空間に、コード保持部１２と、そのコード保持部１２によって保持されるコードとが収納されるように、凹部１１とコード保持部１２とが形成されている。
【００２４】
ここで、コードを保持する凹部１１とコード保持部１２との構造における、コード径と筐体形状の寸法関係について、図２の矢視Ａ−Ａ図を用いて説明する。
図２中の「イ」、「ロ」、すなわち凹部１１におけるコード通過方向の両端とコード保持部１２との間隔は、コードが通過可能なように、コード径より若干大きめの寸法とする。
図２中の「ハ」、すなわちコード通過方向と垂直な方向におけるコード保持部１２先端から凹部１１内壁の間隔は、コードがほどけないように、コード径より若干小さめの寸法とする。
【００２５】
このように、筐体ｂに形成された凹部１１は、筐体外形寸法を増加すること無しにコード保持部１２とコードとを収納して少し余裕があるように形成されている。
また、コード保持部１２は平板形状とし、バネ性を持たせることにより、上下に撓む構造が可能となり、図２中のスリット幅である「ハ」をコード径より小さくしてもコードをコード保持部１２の下に通すことが可能となり、より確実なコード保持を実現することができる。
このコード保持は、凹部１１内を通過するコードをコード保持部１２で押さえることにより、コードの弾性により保持されることとなる。
【００２６】
以上のように、上述した本実施形態によるコード保持構造では、筐体ａの外周面を延長するようにしてコード保持部２が設けられ、その下にコードをくぐらせることができるように凹部１１が設けられているため、通常使用時に不必要な突起部分を凸設させることなく、従って携帯用機器の携帯性を損ねることなく、それでいてコードを巻き付ける時には凹部１１とコード保持部１２との間で確実に保持することができ、先端からほどけないようにすることができる。
【００２７】
また、機器本体１に巻き付けられたコードの一方がコード引き出し部２に、もう一方がコード保持部１２によりそれぞれずれていかないように押さえられる構成であると共に、凹部１１は、コード引き出し部２からの引き出し方向に垂直な方向にコードが通過できるように形成されている。
このため、巻き取られたコードのずれ防止のために鍔状部などを側面から突出させるといった、通常使用時に不必要な突起部分を凸設させることなく、従って携帯用機器の携帯性を損ねることなく、巻き付けられたコードを確実に保持することができる。
【００２８】
このように、ユーザがＡＣアダプタ筐体にコードを巻いて携帯する場合に、最終的なコード纏め方法として、ソケット部分近傍を機器本体１に簡単に保持できるような構造となっている。
【００２９】
以上のような構成により、本実施形態によれば、携帯電話と一緒に携帯する際にＡＣアダプタのコードが所定の場所に保持できるようになり携帯の利便性向上に寄与する形状を実現することができる。
【００３０】
なお、上述した各実施形態は本発明の好適な実施形態であり、本発明はこれに限定されることなく、本発明の技術的思想に基づいて種々変形して実施することが可能である。
例えば、本実施形態に係るＡＣアダプタの筐体は、各種のプラスチックで構成されてもよく、他の材料で構成されてもよい。
【００３１】
また、コード保持部１２の部分は、コードを凹部１１内に挿抜させることが可能なだけの弾性を少なくとも有する材料であれば各種の材料を用いてよい。
【００３２】
また、本実施例におけるＡＣアダプタは携帯電話用として説明したが、他の携帯機器に添付されるＡＣアダプタや、コードが引き出される携帯機器に対しても、上述した本実施形態は同様に適用することができる。
【図面の簡単な説明】
【００３３】
【図１】本発明の実施形態としてのＡＣアダプタにコードを巻き付けてまとめた状態を示す斜視図である。
【図２】Ａ−Ａ方向からの部分拡大矢視図と、各筐体の分解図である。
【図３】Ｂ−Ｂにおける部分拡大断面図である。
【符号の説明】
【００３４】
１    機器本体
１１    凹部
１２    コード保持部
２    コード引き出し部
【図１】
2007252047.tif 000003
【図２】
2007252047.tif 000004
【図３】
2007252047.tif 000005